(57)【要約】    【課題】  通行者が回転ドア装置内で、ドアパネルと側壁との間に挟まれる事故を防止することができる回転ドア装置を提供すること。    【解決手段】  直径方向に対向して設けられた出入口を構成する１対の開口部１１と、開口部１１の端部１１ａ−１１ｂ間及び１１ｃ−１１ｄ間に設けられた１対の円弧状側壁１２と、１対の開口部１１及び前記１対の円弧状側壁１２の内側を回転する仕切体１３とを含んで構成された回転ドア装置１であって、仕切体１３が、直径方向を仕切る直径方向パネル部１４と、直径方向パネル部１４の両端部１４ａに設けられ、１対の開口部１１を開閉する１対の周方向パネル部１５とを備え、さらに、周方向パネル部１５と円弧状側壁１２との間に所定の間隔Ｄが設けられ、１対の円弧状側壁12における少なくともそれぞれの端部１２ａ−１２ｄに、所定の間隔Ｄを仕切る小扉１６が回動可能に軸支されていることを特徴とする回転ドア装置。【選択図】図２
0003104953.tif 000002
【実用新案登録請求の範囲】
【請求項１】
直径方向に対向して設けられた出入口を構成する１対の開口部と、前記開口部の端部間に設けられた１対の円弧状側壁と、前記１対の開口部及び前記１対の円弧状側壁の内側を回転する仕切体とを含んで構成された回転ドア装置であって、
前記仕切体が、直径方向を仕切る直径方向パネル部と、該直径方向パネル部の両端部に設けられ、前記１対の開口部を開閉する１対の周方向パネル部とを備え、
前記周方向パネル部と前記円弧状側壁との間に所定の間隔が設けられ、
前記１対の円弧状側壁における少なくともそれぞれの端部に、前記所定の間隔を仕切る小扉が回動可能に軸支されていることを特徴とする回転ドア装置。
【請求項２】
前記開口部の幅が、前記仕切体の回転中心軸に対して約６０度の開き角に相当し、前記小扉が、それぞれの前記円弧状側壁における前記端部間の中間部に、さらに設けられていることを特徴とする請求項１記載の回転ドア装置。
【請求項３】
直径方向に対向して設けられた出入口を構成する１対の開口部と、前記開口部の端部間に設けられた１対の円弧状側壁と、前記１対の開口部及び前記１対の円弧状側壁の内側を回転する仕切体とを含んで構成された回転ドア装置であって、
前記それぞれの円弧状側壁が、内側から外側への押圧力又は前記仕切体の前記円弧状側壁側前方に位置する通行者の検出に応じて、外側方向に移動することにより、前記仕切体の端部と前記円弧状側壁との間に、所定の間隔が形成されるように構成され、
それぞれの前記円弧状側壁と建造物の固定壁との間に、前記円弧状側壁の外側方向への移動を可能にする可動壁を備えていることを特徴とする回転ドア装置。
【請求項４】
前記可動壁が、前記建造物の固定壁に軸支された回動可能な開き戸型であることを特徴とする請求項３記載の回転ドア装置。
【請求項５】
前記可動壁が、前記建造物の固定壁面に沿って移動可能な引き戸型であることを特徴とする請求項３記載の回転ドア装置。
【請求項６】
直径方向に対向して設けられた出入口を構成する１対の開口部と、前記開口部の端部間に設けられた１対の円弧状側壁と、前記１対の開口部及び前記１対の円弧状側壁の内側を回転する仕切体とを含んで構成された回転ドア装置であって、
前記仕切体が、該仕切体の回転中心軸から半径方向に仕切る少なくとも３枚の半径方向パネル部を備え、
それぞれの前記半径方向パネル部が、パネル本体部と可動パネル部とを含んで構成され、
それぞれの前記可動パネル部が、前記パネル本体部に沿って移動可能な引き戸型であり、前記可動パネル部の回転方向前方領域に位置する通行者の検出に応じて、前記可動パネル部の前記仕切体の回転中心軸側への移動によって、前記半径方向パネル部と前記円弧状側壁との間に、所定の間隔が形成されるように構成されていることを特徴とする回転ドア装置。
【請求項７】
前記可動パネル部の回転方向前方領域に位置する通行者を検知する少なくとも１つの人体検知センサが設けられていることを特徴とする請求項６記載の回転ドア装置。
【考案の詳細な説明】
【技術分野】
【０００１】
本考案は、ビルディングなどの建造物のエントランスに設置される回転ドア装置に関し、さらに詳しくは、回転するドアパネルと側壁との間で通行者が挟まれる事故を防止することができる回転ドア装置に関する。
【背景技術】
【０００２】
回転ドア装置には、通行者が出入りをしても、内部への外気や埃の侵入を軽減することができるという長所があり、また、高層ビルで発生しやすいドラフト現象によって引き起こされる、エントランスの開閉時に生じる突風や開閉トラブルを軽減することができるという特長がある。そのため、オフィスビル、ホテル、デパート、病院、空港などの人の出入りの多い建物のエントランスのドア装置として、近年広く採用されるようになってきた。
【０００３】
しかし、回転ドア装置内ではドアパネルが回転しているので、通行者がドア装置内で急に動けなくなった場合や転んだ場合などには、人身事故を起こす可能性がある。そのため、そのような事故を防止し、通行者の安全を確保するためのいくつかの対策が講じられている。
【０００４】
図１４は、従来の回転ドア装置の構成例を示す水平面における断面図である（特許文献１参照）。図１４に示した回転ドア装置１２０は、開口部１２１、円弧状側壁１２２、及び回転ドア装置１２０内の直径方向を仕切る直径方向パネル１２３ａと開口部１２１を開閉する周方向パネル１２３ｂとで構成された仕切体１２３を含んで構成されている。この装置では、図１４に示されている領域Ａ、Ｂ、Ｃのそれぞれの領域に障害物が存在することを検知するセンサが設けられており、障害物を検知した場合には、検知した領域に応じて、仕切体１２３の回転速度を減速したり、停止したりする制御を行うことができるようになっている。
【０００５】
図１５は、従来の回転ドア装置の別の構成例を示す水平面における模式的断面図である（特許文献２参照）。図１５に示した回転ドア装置１３０は、開口部１３１、円弧状側壁１３２、回転駆動装置１３４、及びドア装置内の半径方向を仕切る４枚の半径方向パネル１３３ａを備えた仕切体１３３を含んで構成されており、半径方向パネル１３３ａは、回転駆動装置１３４側の回転軸１３５により折れ曲がり自在に軸支されている。この回転ドア装置１３０では、図１５にハッチング部で示されている領域Ｄに障害物があることを検知すると、仕切体１３３の回転速度を減速するとともに、半径方向パネル１３３ａに通行者等が接触すると、半径方向パネル１３３ａが回転方向とは逆の方向に折れ曲がるようになっている。
【０００６】
上記特許文献１に開示されている回転ドア装置１２０の場合には、障害物の検知精度によっては、円弧状側壁１２２と仕切体１２３との間に通行者等が挟まれる可能性があり、万全な安全対策が講じられているとは言えず、実際に事故が多発している。また、特許文献２に開示されている回転ドア装置１３０の場合には、通行者が半径方向パネル１３３ａに接触すると半径方向パネル１３３ａが回転方向とは逆方向に折れ曲がるので、接触した通行者に対する事故を防止できる可能性がある。しかし、回転方向とは逆方向に折れ曲がるので、折れ曲がったパネルの後ろ側にいる通行者に対しては、折れ曲がった半径方向パネル１３３ａがぶつかる可能性が高いという問題点がある。
【０００７】
上記のように、従来の回転ドア装置にはいくつかの安全対策が講じられてはいるものの未だ不十分な点があり、通行者が事故に巻き込まれる恐れが解消されているとは言えない。
なお、回転ドア装置の駆動機構に関しては、例えば、特許文献３等に開示されているので、駆動機構に関する説明を省略する。
【特許文献１】特開２００３−２４７３７５号公報
【特許文献２】特開平６−１０８７３５号公報
【特許文献３】特公平４−３７９１２号公報
【考案の開示】
【課題を解決するための手段及び効果】
【０００８】
本考案は、上記課題に鑑みなされたものであって、通行者が回転ドア装置を通る際に、ドアパネルと円弧状側壁との間に挟まれるという事故の発生を阻止することができる回転ドア装置を提供することを目的としている。
【０００９】
上記目的を達成するために、本考案に係る回転ドア装置（１）は、直径方向に対向して設けられた出入口を構成する１対の開口部と、前記開口部の端部間に設けられた１対の円弧状側壁と、前記１対の開口部及び前記１対の円弧状側壁の内側を回転する仕切体とを含んで構成された回転ドア装置であって、前記仕切体が、直径方向を仕切る直径方向パネル部と、該直径方向パネル部の両端部に設けられ、前記１対の開口部を開閉する１対の周方向パネル部とを備え、前記周方向パネル部と前記円弧状側壁との間に所定の間隔が設けられ、前記１対の円弧状側壁における少なくともそれぞれの端部に、前記所定の間隔を仕切る小扉が回動可能に軸支されていることを特徴としている。
【００１０】
上記回転ドア装置（１）によれば、回転する仕切体の周方向パネル部と円弧状側壁との間に所定の間隔が設けられており、さらにこの所定の間隔を仕切る回動可能な小扉が設けられているので、たとえ通行者が周方向パネル部と円弧状側壁との間に入るようなことがあっても小扉が回動し、通行者が挟まれることを防止することができる。したがって、通行者が仕切体と円弧状側壁との間に挟まれて怪我をするという事故の発生を解消し、回転ドア装置における通行者の安全を確保することができる。また、仕切体の周方向パネル部と円弧状側壁との間に所定の間隔が設けられているが、小扉で仕切られているので、直径方向に対向して設けられた開口部間を空気が通り抜けることを防止することができる。したがって、高層ビルなどのエントランスで生じやすいドラフト現象を防止することもできる。さらに、小扉がその前方に位置する通行者を検知した際に、自動的に仕切体の回転方向に開くように構成することができるので、より安全な回転ドア装置とすることができる。特に、回転ドア装置（１）は、通行者が仕切体と円弧状側壁との間に挟まれそうになる事態が生じても、仕切体全体の動きを停止させる必要がないので、仕切体の回転が急停止することにより通行者に危害が及ぶ恐れがないという長所がある。
【００１１】
また、本考案に係る回転ドア装置（２）は、上記回転ドア装置（１）において、前記開口部の幅が、前記仕切体の回転中心軸に対して約６０度の開き角に相当し、前記小扉が、それぞれの前記円弧状側壁における前記端部間の中間部に、さらに設けられていることを特徴としている。
【００１２】
上記回転ドア装置（２）によれば、１対の開口部が各約６０度の開き角、１対の円弧状側壁が各約１２０度の開き角であり、小扉が開き角約６０度の間隔で配置されているので、大型の回転ドア装置であっても、通行者の安全が確保されるとともに、開口部間の空気の通り抜けがほとんど生じない。したがって、特に通行者が多いエントランス用の回転ドア装置として好適である。
【００１３】
また、本考案に係る回転ドア装置（３）は、直径方向に対向して設けられた出入口を構成する１対の開口部と、前記開口部の端部間に設けられた１対の円弧状側壁と、前記１対の開口部及び前記１対の円弧状側壁の内側を回転する仕切体とを含んで構成された回転ドア装置であって、前記それぞれの円弧状側壁が、内側から外側への押圧力又は前記仕切体の前記円弧状側壁側前方に位置する通行者の検出に応じて、外側方向に移動することにより、前記仕切体の端部と前記円弧状側壁との間に、所定の間隔が形成されるように構成され、それぞれの前記円弧状側壁と建造物の固定壁との間に、前記円弧状側壁の外側方向への移動を可能にする可動壁を備えていることを特徴としている。
【００１４】
上記回転ドア装置（３）によれば、円弧状側壁が内側から外側向きの押圧力又は仕切体の円弧状側壁側前方に位置する通行者の検出に応じて、外側方向へ移動可能であるので、通行者が仕切体の端部と円弧状側壁との間に位置するようなことが生じても、通行者が挟まれて怪我をするような事態が起こらない。また、円弧状側壁と建造物の固定壁との間には、可動壁が設けられているので、円弧状側壁が外側方向へ抵抗なく移動可能である。また、円弧状側壁が移動可能に構成されているが、移動領域には可動壁が設けられており、通常は可動壁が壁として機能しているので、建造物の内外の空気の通り抜けが起こらない。さらに、回転ドア装置（３）は、通行者が仕切体と円弧状側壁との間に挟まれそうになる事態が生じても、仕切体全体の動きを停止させる必要がないので、仕切体の回転が急停止することにより通行者に危害が及ぶ恐れがないという長所がある。なお、この回転ドア装置（３）は、比較的小型の回転ドア装置として特に好適である。
【００１５】
また、本考案に係る回転ドア装置（４）は、上記回転ドア装置（３）において、前記可動壁が、前記建造物の固定壁に軸支された回動可能な開き戸型であることを特徴としている。
上記回転ドア装置（４）によれば、可動壁が開き戸型であるので、構造が簡素で、円弧状側壁の移動に対する抵抗が小さく、維持管理も容易という長所がある。
【００１６】
また、本考案に係る回転ドア装置（５）は、上記回転ドア装置（３）において、前記可動壁が、前記建造物の固定壁面に沿って移動可能な引き戸型であることを特徴としている。
上記回転ドア装置（５）によれば、可動壁が引き戸型であるので、構造が簡素で円弧状側壁の移動に対する抵抗が比較的小さく、維持管理も容易という長所がある。
【００１７】
また、本考案に係る回転ドア装置（６）は、直径方向に対向して設けられた出入口を構成する１対の開口部と、前記開口部の端部間に設けられた１対の円弧状側壁と、前記１対の開口部及び前記１対の円弧状側壁の内側を回転する仕切体とを含んで構成された回転ドア装置であって、前記仕切体が、該仕切体の回転中心軸から半径方向を仕切る少なくとも３枚の半径方向パネル部を備え、それぞれの前記半径方向パネル部が、パネル本体部と可動パネル部とを含んで構成され、それぞれの前記可動パネル部が、前記パネル本体部に沿って移動可能な引き戸型であり、前記可動パネル部の前記仕切体の回転中心軸側への移動によって、前記半径方向パネル部と前記円弧状側壁との間に、所定の間隔が形成されるように構成されていることを特徴としている。
【００１８】
上記回転ドア装置（６）によれば、仕切体を構成する半径方向パネル部が、パネル本体部と可動パネル部とで構成され、それぞれの可動パネル部が、パネル本体部に沿って移動可能な引き戸型であり、可動パネル部の仕切体の回転中心軸側への移動によって、半径方向パネル部と円弧状側壁との間に所定の間隔が形成されるようになっている。そのため、仕切体と円弧状側壁との間に通行者が挟まれるという事態が生じることを未然に防止することができる。また、回転ドア装置（６）は、通行者が仕切体と円弧状側壁との間に挟まれそうになる事態が生じても、仕切体全体の動きを停止させる必要がないので、仕切体の回転が急停止することにより通行者に危害が及ぶ恐れがないという長所がある。
【００１９】
また、本考案に係る回転ドア装置（７）は、上記回転ドア装置（６）において、前記可動パネル部の回転方向前方領域に位置する人体を検知する少なくとも１つの人体検知センサが設けられ、該人体検知センサによる人体の検知に応じて、前記可動パネル部が前記仕切体の回転中心軸側へ移動するように構成されていることを特徴としている。
【００２０】
上記回転ドア装置（７）によれば、仕切体の端部と円弧状側壁との間に通行者が挟まれる恐れのある領域に位置する通行者を検出し、挟まれる前に自動的に可動パネル部が開くように構成することができるので、回転ドア装置内における通行者の安全を容易に確保することができる。
【００２１】
なお、本明細書でいう「所定の間隔」とは、通行者が回転ドア装置のパネル部と円弧状側壁との間に挟まれるという事故を防止することを目的としているので、人間が入るだけの幅を意味している。したがって、所定の間隔は、３００ｍｍ以上が好ましく、５００ｍｍ以上がさらに好ましい。一方、所定の間隔が大きすぎると、回転ドア装置内に無駄なスペースが増加することになるので、上限は７００ｍｍ以下が好ましい。
【考案を実施するための最良の形態】
【００２２】
以下、本考案の実施の形態に係る回転ドア装置を、図面を参照して説明する。なお、各図面において、機能が共通する部材又は部分には、同じ符号を付すことにする。また、本考案の実施の形態に係る回転ドア装置は、前述の特許文献３などに開示されている従来の公知の駆動機構、構成部材を採用することができるので、本明細書では駆動機構の説明を省略する。
【００２３】
図１は、本考案の実施の形態１に係る回転ドア装置１を示す外観図である。また、図２は、図１に示したＩＩ−ＩＩ’切断線における回転ドア装置１の構造を示す断面図である。図１及び図２に示したように、回転ドア装置１は、回転ドア装置１の直径方向に設けられ、出入口を構成する１対の開口部１１と、開口部１１の端部１１ａ−１１ｂ間及び１１ｃ−１１ｄ間に設けられた１対の円弧状側壁１２と、開口部１１及び円弧状側壁１２の内側を回転する仕切体１３とを含んで構成されている。
【００２４】
また、仕切体１３は、回転ドア装置１の直径方向を仕切る直径方向パネル部１４（以下、パネル部１４と略記する）と、パネル部１４の両端部１４ａに設けられ、開口部１１を開閉する周方向パネル部１５（以下、パネル部１５と略記する）とを備えており、パネル部１５と円弧状側壁１２との間には所定の間隔Ｄが設けられている。さらに、円弧状側壁１２の端部に支柱１２ａ、１２ｂ、１２ｃ、１２ｄ、及び支柱１２ａと１２ｂの中間部に支柱１２ｅ、支柱１２ｃと１２ｄの中間部に支柱１２ｆが設けられ、各支柱には所定の間隔Ｄを仕切る小扉１６が取り付けられている。
【００２５】
仕切体１３は、例えば、時計回りとは逆向きに回転し、パネル部１５が開口部１１と対面したタイミングでは、パネル部１５と開口部１１の両側の小扉１６とで開口部１１を閉鎖し、パネル部１５が開口部１１から離れるとパネル部１４とパネル部１５と小扉１６とで、両方の開口部１１間の空気の通り抜けを遮断することができるようになっている。また、通行者は、開口部１１が開いている間に回転ドア装置１の中に入り、そのまま進めば、対向する開口部１１から出られるようになっている。
【００２６】
図３は、小扉１６の支柱１２ａ〜１２ｆへの取り付け部を示す部分拡大斜視図である。なお、図３は１例として支柱１２ｂへの取り付け部を示している。小扉１６は、パネル１６ａが支持枠１６ｂで支持され、支持枠１６ｂの上端部には回転軸１６ｃが設けられ、下端部にも同様な回転軸が設けられている（下端部の回転軸は支持枠１６ｂに隠れている）。これらの回転軸のうち、下端部の回転軸は、床面又は支柱１２ｂに固定された軸受１８によって軸支されている。上端部の回転軸１６ｃは、支柱１２ｂ又は回転ドア装置１の構造部材（図示省略）に固定されている。
【００２７】
小扉１６上端部の回転軸１６ｃには、小扉１６の回転を駆動し制御する駆動制御部１７が設けられており、駆動制御部１７は、小扉１６の回転軸１６ｃに固定された平歯車１７ｂ、支柱１２ｂなどに固定されたモータ１７ｃ及びモータ１７ｃの回転軸に固定され、平歯車１７ｂに噛み合ったウォームギア１７ｄを含んで構成されている。小扉１６は、このように構成された駆動制御部１７によって回動するようになっている。また、モータ１７ｃは、次に説明する人体検知センサの信号により駆動され、小扉１６が自動的に回動するようになっている。
【００２８】
回転ドア装置１は、例えば、図２にハッチング部で示したイ−１〜イ−６の領域に通行者が位置することを検出するための人体検知センサ（図示省略）を備えている。人体検知センサは、例えば、パネル部１４又は支柱１２ａ〜１２ｆに取り付けておくことができる。ただし、必ずしもイ−１〜イ−６のすべての領域を検出する必要はなく、仕切体１３が反時計回りに回転する場合には、特に領域イ−３及びイ−６を検出対象領域とすることが効果的である。
【００２９】
人体検知センサが、上記の領域に通行者が位置することを検出した場合には、その信号がモータ１７ｃに送られ、直ちにモータが駆動して小扉１６が仕切体１３の回転方向に開くように回動する。なお、人体検知センサは、通常、回転ドアやエレベータ、その他人体の検出に用いられているセンサでもよい。特に、赤外線センサが好適である。
【００３０】
図４は、仕切体１３のパネル部１５の先端部１５ａと小扉１６との間に通行者Ｘが位置した状態を示す模式的平面図である。パネル部１５の先端部１５ａと小扉１６との間に通行者が位置しても、上記のように小扉１６が回転軸１６ｃ（図３参照）を中心として回動するので、通行者Ｘが被害に遭うことを防止できる。したがって、回転ドア装置１内で、通行者が怪我をするような事故の発生を阻止することができる。
【００３１】
小扉１６は、回転ドア装置１の内部で、通行者の目に付く位置に配置されるので、見映えがよく、小扉の前後の状態が反対側からでも見えるものであり、一見して安全を確認できるものであることが好ましい。したがって、小扉１６のパネル１６ａは、仕切体１３のパネル部１４、パネル部１５などに用いられるものと同じ材料、例えば、強化ガラス、合わせガラスなど透明で強度のあるガラス材料で構成するのがよい。
【００３２】
図３には、小扉１６の回動を駆動制御部１７で制御することを示したが、小扉１６は比較的軽量であるので、必ずしもモータのような原動機を使用しなくてもよい。図示しないが、例えば、回転軸１６ｃの軸受を兼ねる歯車、ドアクローザ、前記軸受を兼ねる歯車と噛み合いドアクローザに取り付けられる歯車などで構成してもよい。そのような構成によって、小扉１６が押圧された場合には適度な速度で小扉１６が回動し、押圧力が消失した場合には、小扉１６が適度な速度で元の状態に復帰するようにすることもできる。なお、夜間など回転ドア装置１の通行を禁止する場合に備えて、小扉１６は、小扉１６の上端部などを電磁力又は機械的要素を利用したロック機構により固定可能な構成とし、押圧力によって回動しないようにすることが好ましい。
【００３３】
図２に示したように、回転ドア装置１には、仕切体１３のパネル部１５と円弧状側壁１２との間に所定の間隔Ｄが設けられる。この間隔Ｄは、前述のように、主に通行者がパネル部１５と円弧状側壁１２との間に挟まれる事故の発生を阻止することを目的としているので、人間が入るだけの幅であればよい。したがって、所定の間隔Ｄは、３００ｍｍ以上が好ましく、５００ｍｍ以上がさらに好ましい。一方、所定の間隔Ｄが大きすぎると、回転ドア装置１内に無駄なスペースが増加することになるので、上限は７００ｍｍ以下が好ましい。
【００３４】
また、仕切体１３のパネル部１４は、ドアなどのない一体型の壁状でもよいが、図２に示したように、２枚の引き戸型のドア１４ｂとほぼドア１４ｂの幅に相当する壁部１４ｃとで構成し、ドア１４ｂを開くことにより、開かれた開口部を通行することができるように構成してもよい。
【００３５】
また、実施の形態１に係る回転ドア装置１に関しては、開口部１１の幅が、仕切体１３の回転中心軸（図２に示した符号Ｂの位置）に対して約６０度の開き角に相当し、円弧状側壁１２が中心軸Ｂに対して約１２０度の領域に対応して設けられている例を示した（図２参照）。そのために、仕切体１３のパネル部１５が少なくとも開口部１１を閉鎖することができる幅であり、小扉１６が、それぞれの円弧状側壁１２の端部の支柱１２ａ−１２ｂ間の中間に位置する支柱１２ｅ及び支柱１２ｃ−１２ｄの中間に位置する支柱１２ｆにも設けられている。
【００３６】
一方、別の実施の形態では、図には示さないが、開口部１１の開き角が大きく、それに応じて仕切体１３のパネル部１５の幅が広く円弧状側壁１２の幅が狭い場合には、円弧状側壁１２の中間に位置する支柱１２ｅ、１２ｆに取り付けられた小扉１６を省略することができる。このような場合には、小扉１６は、円弧状側壁１２の端部の支柱１２ａ〜１２ｄの４箇所だけに設けられていればよい。
【００３７】
図５は、実施の形態２に係る回転ドア装置２を示す外観図である。また、図６は、図５に示したＶＩ−ＶＩ’切断線における回転ドア装置２の構造を示す断面図である。図５及び図６に示したように、回転ドア装置２は、回転ドア装置２の直径方向に対向して設けられ、出入口を構成する１対の開口部２１と、開口部２１の端部２１ａ−２１ｂ間及び２１ｃ−２１ｄ間に設けられた１対の円弧状側壁２２と、１対の開口部２１及び１対の円弧状側壁２２の内側を回転する仕切体２３とを含んで構成されている。
【００３８】
また、仕切体２３は、仕切体２３の回転中心軸Ｂから半径方向に仕切る４枚の半径方向パネル部２４（以下、パネル部２４と略記する）を備えており、隣接するパネル部２４相互間の開き角が、少なくとも開口部２１の回転中心軸Ｂに対する開き角（図６に示した例の場合は約９０度）に相当している。パネル部２４の端部２４ａと円弧状側壁２２との間は、空気が通り抜けないように狭い間隔に設定されている。
【００３９】
１対の円弧状側壁２２は、それぞれ内側から外側への押圧力が働いた場合に、外側方向へ移動することにより、仕切体２３のパネル部２４の端部２４ａと円弧状側壁２２との間に、所定の間隔Ｄ（図８）が形成されるように構成されている。また、それぞれの円弧状側壁２２と建造物の固定壁２７との間には、円弧状側壁２２の外側方向への移動を妨げないようにする可動壁２６が設けられている。なお、図５、図６に示した可動壁２６は、固定壁２７の端部２７ａに回転可能に軸支された開き戸型の可動壁である。なお、符号２８ａ、２８ｂは、後に説明する円弧状側壁２２の移動をサポートするための溝型の下レール、上レールである。
【００４０】
仕切体２３は、例えば、反時計回りに回転し、隣り合う１組のパネル部２４の両方の端部２４ａが円弧状側壁２２の端部の支柱２２ａ、２２ｄ又は２２ｃ、２２ｄと対面したタイミングでは、パネル部２４で開口部２１を閉鎖し、パネル部２４の端部２４ａが支柱２２ａ、２２ｄ又は２２ｃ、２２ｄの位置から離れると直径方向に位置する１組のパネル部２４で、開口部２１間の空気の通り抜けを遮断することができるようになっている。また、通行者は、開口部２１が開いている間に回転ドア装置２の中に入り、そのまま回転方向に進めば、対向する開口部２１から出られるようになっている。
【００４１】
回転ドア装置２には、図６にハッチング部で示した領域ロ−１及びロ−２に通行者が位置することを検出する人体検知センサが設けられている。これらの領域に通行者が位置する場合には、例えば、支柱２２ｂとパネル部２４の端部２４ｃとの間に通行者が挟まれる可能性がある。回転ドア装置２の場合には、上記のように、円弧状側壁２２が押圧されると外側方向へ移動するようになっているので、通行者が怪我をするという事故が起こりにくい。ただし、円弧状側壁２２は重量が大きい場合があるので、通行者が挟まれる前に外側方向へ移動するように構成されていることがより好ましい。したがって、領域ロ−１及びロ−２に通行者が位置することを検出する人体検知センサを設けておくことにより、人体の検知に連動して、円弧状側壁２２が自動的に外側方向へ移動するようにしておくのがよい。なお、円弧状側壁２２の駆動装置については、図１０を参照して後に説明する。
【００４２】
図７は、円弧状側壁２２が移動した後の状態を示す回転ドア装置の外観図である。また、図８は、円弧状側壁の移動前後の状態を示す図であり、図７に示したＶＩＩＩ−ＶＩＩＩ’切断線における断面図である。円弧状側壁２２は、内側から外側への押圧力が作用した場合には、外観が図５から図７に示す状態、断面の状態が図８に点線で示した位置から実線で示した位置まで移動可能なように構成されている。この円弧状側壁２２の移動によって、パネル部２４の先端部２４ａと円弧状側壁２２との間には、所定の間隔Ｄが形成されるようになっている。なお、所定の間隔Ｄに関しては、実施の形態１に係る回転ドア装置１の場合と同じであるのでここではその説明を省略する。また、図７及び図８には、２つの円弧状側壁２２が共に移動した状態を示したが、２つの円弧状側壁２２は同時に移動するものではなく、それぞれ独立に移動可能なものである。
【００４３】
図５〜図８に示した可動壁２６は、開き戸型の可動壁であり、その形態、構成及び固定壁２７に対する取り付け方法は、実施の形態１に係る回転ドア装置１に用いられる小扉１６とほぼ同様でよい。また、固定壁２７による軸支についても、図３に示しそれに関して説明した手段をほぼそのまま利用することができる。
【００４４】
図９は、回転ドア装置２の別の実施の形態に係る可動壁を示す模式的断面図であり、（ａ）は円弧状側壁が移動する前、（ｂ）は円弧状側壁が移動した後の状態を示している。図９に示した可動壁２６Ａは引き戸型であり、円弧状側壁２２の外側方向への移動に伴って、可動壁２６Ａが固定壁２７に沿ってスライドするように構成されている。
【００４５】
回転ドア装置２に用いられる可動壁２６、２６Ａは、回転ドア装置２の本体部の外側に位置し、建造物の固定壁２７の延長部に相当するものである。したがって、壁の一部としての機能を果たすものであるので、堅牢で、建造物内への風雨の侵入を防止する効果を有するようなものであることが好ましい。
【００４６】
図１０は、円弧状側壁２２の外側方向への移動をサポートすることができる駆動機構の例を示す部分拡大断面図である。円弧状側壁２２の下枠２２ｅには、図７、図８に示した溝形の下レール２８ａに対応する位置に、下レール２８ａの溝に入る案内部材２２ｇが取り付けられている。また、円弧状側壁２２の上枠２２ｆには、駆動制御部２９が取り付けられている。駆動制御部２９は、円弧状側壁２２の上枠２２ｆに固定された吊り車支持部材２９ａ、支持部材２９ａに回転軸２９ｂが軸支された吊り車２９ｃ、回転軸２９ｂに固定された平歯車２９ｄ、モータ２９ｅ及びモータ２９ｅの回転軸に固定され平歯車２９ｄと噛み合った平歯車２９ｆを含んで構成されている。また、吊り車２９ｃは、回転ドア装置２を構成する構造体（例えば、上部の架構）に固定された逆Ｔ形の上レール２８ｂ（図７参照）の上面に乗せられている。
【００４７】
上記のように構成されているので、モータの回転により、吊り車２９ｃが上レール２８ｂに沿って移動し、それによって円弧状側壁２２が移動するようになっている。モータ２９ｃが、前述の人体検知センサの信号によって始動するように設定しておくことにより、図４に示した状態を実現することができるので、回転ドア装置２を安全なものとすることができる。なお、円弧状側壁２２をもとの位置に戻すためには、モータを逆に回転させ、所定の位置で停止するように設定しておけばよい。
【００４８】
なお、床面の下レール２８ａ及び上レール２８ｂは、各円弧状側壁２２に少なくとも３本取り付けることが好ましい。また、各３本の下レール２８ａ及び上レール２８ｂは、それぞれ上下同じ位置に平行に配置し、円弧状側壁２２がスムースに移動するようにすることができる。また、図５〜図８には、円弧状側壁２２が、直径方向よりやや仕切体２３の回転方向に移動するように、下レール２８ａ、上レール２８ｂが設置された例を示したが、円弧状側壁２２は外側へ移動すればよいので、必ずしも図５〜図７に示した方向に下レール２８ａ、上レール２８ｂを設置する必要はない。
【００４９】
図７〜図１０には、円弧状側壁２２を外側方向へ移動させ、また、元の位置に戻すことができる１つの例を示したが、この移動と復帰の機構には様々なタイプがある。したがって、回転ドア装置２の規模、移動の制御に関する精度、建造物の固定壁２７と回転ドア装置２との関係等、回転ドア装置２を適用する条件に応じて、最適な機構を選択することが好ましい。
【００５０】
また、実施の形態２に係る回転ドア装置２の場合には、仕切体２３が４枚のパネル部２４で構成された例を示したが、仕切体２３は、必ずしも４枚のパネル部２４で構成されている必要はない。後に図１３で説明するように、例えば３枚のパネル部で構成してもよい。さらに別の実施の形態として、実施の形態１に係る回転ドア装置１の場合のように、仕切体が、回転ドア装置を直径方向に仕切る直径方向パネル部と、直径方向パネル部の両端部に設けられた周方向パネル部とで構成されたものであってもよい。
【００５１】
図１１は、実施の形態３に係る回転ドア装置３の構造を示す水平面における断面図である。回転ドア装置３は、直径方向に対向して設けられた出入口を構成する１対の開口部３１と、開口部３１の端部３１ａ−３１ｂ間及び３１ｃ−３１ｄ間に設けられた１対の円弧状側壁３２と、１対の開口部３１及び１対の円弧状側壁３２の内側を回転する仕切体３３とを含んで構成されている。
【００５２】
また、仕切体３３は、仕切体３３の回転中心軸Ｂから半径方向に仕切る４枚の半径方向パネル部３４を備え、それぞれの半径方向パネル部３４が、パネル本体部３５と可動パネル部３６とを含んで構成されている。さらに、それぞれの可動パネル部３６が、パネル本体部３５に沿って移動可能な引き戸型であり、可動パネル部３６の仕切体３３の回転中心軸Ｂ側への移動によって、パネル本体部３５の端部又は可動パネル部３６の端部（仕切体３４の端部）と円弧状側壁３２との間に、所定の間隔Ｄが形成されるように構成されている。
【００５３】
１つの実施の形態として、仕切体３３のパネル本体部３５には、可動パネル部３６の回転方向前方領域（例えば、図１２にハッチング部で示した符号ハ−１、ハ−２の領域）に人体が位置することを検出する人体検知センサ（図示省略）が設けられている。この人体検知センサが、可動パネル部３６の回転方向前方領域に人体が位置することを検知した場合には、検知信号に応じて、可動パネル部３６が仕切体３３の回転中心軸Ｂ側へ移動し、前述のようにパネル本体部３５の端部又は可動パネル部３６と円弧状側壁３２との間に、所定の間隔Ｄが形成される。
【００５４】
可動パネル部３６が、上記のような動きをするので、仕切体３３と円弧状側壁との間に通行者が挟まれる事故が発生することを未然に防止することができる。
【００５５】
実施の形態３に係る回転ドア装置３では、人体の存在を検出するセンサが用いられるが、このセンサには、例えば、前述のように赤外線センサが適している。また、可動パネル部３６の駆動には、通常の開き戸型の自動ドアに採用されている駆動機構を採用することができるので、ここではその駆動機構に関する説明を省略する。
【００５６】
図１２は別の実施の形態に係るパネル本体部及び可動パネル部の構成を示す水平面における断面図である。図１１には、可動パネル部３６が、パネル本体部３５の一面側に沿ってスライドする例を示したが、図１２に示したように、可動パネル部３６Ａがパネル本体部３５Ａの中にスライドするように構成してもよい。
【００５７】
図１３は、別の実施の形態に係る仕切体３３Ａを示す水平面における断面図である。図１１及び図１２には、仕切体３３が４枚の半径方向パネル部３４で構成された例を示したが、図１３に示したように、３枚の半径方向パネル部３４Ａで構成された仕切体３３Ａとすることもできる。また、実施の形態２に係る回転ドア装置２の場合にも、仕切体３４を３枚の半径方向パネル部で構成することができる。
【図面の簡単な説明】
【００５８】
【図１】本考案の実施の形態１に係る回転ドア装置を示す外観図である。
【図２】図１に示したＩＩ−ＩＩ’切断線における回転ドア装置１の構造を示す断面図である。
【図３】小扉の支柱への取り付け部を示す部分拡大斜視図である。
【図４】仕切体のパネル部の先端部と小扉との間に障害物が挟まった状態を示す模式的平面図である。
【図５】実施の形態２に係る回転ドア装置を示す外観図である。
【図６】図５に示したＶＩ−ＶＩ’切断線における回転ドア装置の構造を示す断面図である。
【図７】円弧状側壁が移動した後の状態を示す回転ドア装置の外観図である。
【図８】円弧状側壁の移動前後の状態を示す図であり、図７に示したＶＩＩＩ−ＶＩＩＩ’切断線における断面図である。
【図９】回転ドア装置２の別の実施の形態に係る可動壁を示す模式的断面図であり、（ａ）は円弧状側壁が移動する前、（ｂ）は円弧状側壁が移動した後の状態を示している。
【図１０】円弧状側壁の外側方向への移動をサポートすることができる駆動機構の例を示す部分拡大断面図である。
【図１１】実施の形態３に係る回転ドア装置の構成を示す水平面における断面図である。
【図１２】別の実施の形態に係るパネル本体部及び可動パネル部の構成を示す水平面における断面図である。
【図１３】別の実施の形態に係る仕切体を示す水平面における断面図である。
【図１４】従来の回転ドア装置の構成例を示す水平面における断面図である。
【図１５】従来の回転ドア装置の別の構成例を示す水平面における模式的断面図である。
【符号の説明】
【００５９】
１、２、３、１２０、１３０    回転ドア装置
１１、２１、３１    開口部
１２、２２、３２    円弧状側壁
１２ａ〜１２ｆ、２２ａ〜２２ｄ、    支柱
１３、２３、３３、３３Ａ    仕切体
１４      直径方向パネル部
１５      周方向パネル部
１６      小扉
１７、２９      駆動制御部
２４、３４、３４Ａ      半径方向パネル部
２６、２６Ａ      可動壁
２７      建造物の固定壁
２８ａ    上レール
２８ｂ    下レール
【図１】
0003104953.tif 000003
【図２】
0003104953.tif 000004
【図３】
0003104953.tif 000005
【図４】
0003104953.tif 000006
【図５】
0003104953.tif 000007
【図６】
0003104953.tif 000008
【図７】
0003104953.tif 000009
【図８】
0003104953.tif 000010
【図９】
0003104953.tif 000011
【図１０】
0003104953.tif 000012
【図１１】
0003104953.tif 000013
【図１２】
0003104953.tif 000014
【図１３】
0003104953.tif 000015
【図１４】
0003104953.tif 000016
【図１５】
0003104953.tif 000017